(57)【要約】【課題】少ない水量で所定の洗浄性能を維持する。【解決手段】残菜フィルタ１０は、略中央部に設けられた第１のフィルタ部３１と、第１のフィルタ部の周縁から上方に略鉛直に設けられる高さ１ｍｍ以上の境界部３２と、第１のフィルタ部と略並行に設けられ第１のフィルタ部より上方になるように設けられ第１のフィルタ部より貫通穴の大きい第２のフィルタ部３３と、を備え、境界部は上方に開放部をもつ貫通部を有し、貫通部下面は第２のフィルタ部と境界部との境界面上面と高さを等しく構成した。【選択図】図５
2011078521.tif 000002
【特許請求の範囲】
【請求項１】
被洗浄物が収容される洗浄槽を備える本体と、前記洗浄槽の底部に設けられる貯水部と、洗浄水を被洗浄物に噴射する洗浄手段と、前記洗浄手段と前記貯水部とを連結する循環経路と、前記循環経路内に設けられるとともに洗浄と排水を兼用する洗排兼用ポンプと、前記貯水部の上部に設けられ洗浄水中の残菜を捕集する残菜フィルタと、を備え、
前記残菜フィルタは、略中央部に設けられる第１のフィルタ部と、前記第１のフィルタ部の外周縁外側に略鉛直上方に突出して設けられる境界部と、前記境界部の外周縁外側で前記第１のフィルタ部より高い位置に設けられ第１のフィルタ部より貫通穴の大きい第３のフィルタ部と、を備え、前記第２のフィルタ部は、前記第１のフィルタ部から前記第３のフィルタ部に洗浄水が流れるための貫通部を有する食器洗い機。
【請求項２】
前記貫通部の断面積は、前記第１のフィルタ部の貫通穴より大きく、かつ、前記第２のフィルタ部の貫通穴より小さい請求項１記載の食器洗い機。
【請求項３】
前記境界部の貫通部は、凹部を有し、前記凹部の底面は隣接する前記第２のフィルタ部と高さが等しい請求項１又は２に記載の食器洗い機。
【請求項４】
凹部は断面が略三角形形状である請求項３に記載の食器洗い機。
【請求項５】
凹部は断面が略四角形形状である請求項３に記載の食器洗い機。
【発明の詳細な説明】
【技術分野】
【０００１】
本発明は、食器の洗浄を行う食器洗い機に関するものである。
【背景技術】
【０００２】
従来、食器の洗浄を行う一般的な食器洗い機のフィルタは、図１２の貯水部近傍の断面図で示すように、略中央に略水平に設けた第１のフィルタ１０１と、この第１のフィルタの周囲に略水平に設けた第２のフィルタ１０２と、前記第１のフィルタ１０１と第２のフィルタ１０２との境界部の下方に略鉛直に設けた第３のフィルタ１０３とを具備し、各々のフィルタ貫通穴の大きさは、第１のフィルタ１０１がもっとも大きく、次いで第２のフィルタ１０２、第３のフィルタ１０３の順であり、前記第３のフィルタ１０３の下端は排水口部１０４と排水配管経路部１０５との接続部と当接する構成であり、かつ、第１のフィルタ１０１に上方へ突出した突起部１０６を設け、この突起部１０６の天面に第１のフィルタの表・裏面間を連通する穴部１０７を設けてある。洗浄運転中は洗浄配管経路部１０８から洗浄水は洗浄ポンプへ送られる。残菜は、洗浄運転の進行とともに落とされ、洗浄水中に混入する。ここで、残菜とは、食器に汚れとして付着していた固形物をいう。小さい残菜は、第３のフィルタ１０３に捕集され、比較的大きな固形物が第１のフィルタ１０１によって補修される（例えば特許文献１）。
【０００３】
また、図１３に示すように残菜フィルタ１０９の中央部に遮流板１１０を備えたものもある。この残菜フィルタ１０９では食器から分離した比較的重い残菜は、洗浄槽の底部の傾斜面１１１に沿って下方へと洗浄水１１２と共に移動するが、傾斜面に当接する残菜フィルター１０９の端部１１３からポンプの吸込口１１４への水流に抗する遮流板１１０により移動が抑止されて堆積し、吸込口に近い端部１１５付近には堆積し難くなることで、ポンプの洗浄水吸い込み能力が低下しない（例えば特許文献２）。
【先行技術文献】
【特許文献】
【０００４】
【特許文献１】特開２００２−２０９８２５号公報
【特許文献２】特開２００６−３０４９９１号公報
【発明の概要】
【発明が解決しようとする課題】
【０００５】
しかしながら、上記特許文献１に記載のものでは、構成が複雑になる上に、洗浄配管経路部と排水配管経路部との二つの吸込み経路を有するもの、つまり洗浄ポンプとは別に排水配管経路部と繋がる排水ポンプを有するような、洗排兼用ではないポンプを２つ有する食器洗い機にしか使用することができない。
【０００６】
また、上記特許文献２に記載のものでは、洗排兼用ポンプを有する食器洗い機に関し記載されているが、遮流板に多くの残菜が集まりフィルタの目詰まりを防ぐことはできるが、遮流板の上流側および下流側でフィルタのメッシュ構成が同じなので残菜の大きさに応じた捕集ができず、食器への再付着が増え所定の洗浄性能を得ることができない。
【０００７】
本発明は、上記従来の課題を解決するもので、洗排兼用ポンプを有する食器洗い機において、簡単な構造で残菜の捕集を有効的に行い目詰まりの発生を抑制するフィルタを備えているため、洗浄ポンプの吸込み能力を低下させず、高い洗浄能力を維持することを目的としている。
【課題を解決するための手段】
【０００８】
前記従来の課題を解決するために、本発明の食器洗い機は、被洗浄物が収容される洗浄槽を備える本体と、洗浄槽の底部に設けられる貯水部と、洗浄水を被洗浄物に噴射する洗浄手段と、洗浄手段と貯水部とを連結する循環経路と、循環経路内に設けられるとともに洗浄と排水を兼用する洗排兼用ポンプと、貯水部の上部に設けられ洗浄水中の残菜を捕集する残菜フィルタと、を備え、残菜フィルタは、略中央部に設けられる第１のフィルタ部と、第１のフィルタ部の周縁外側に略鉛直上方に突出して設けられる境界部と、第１のフィルタ部より高い位置に設けられ第１のフィルタ部より貫通穴の大きい第２のフィルタ部と、を備え、境界部が第１のフィルタ部から第２のフィルタ部に洗浄水を流すための貫通部を有するものである。
【０００９】
これにより、洗排兼用ポンプを有する食器洗い機において、簡単な構成で残菜の捕集を有効的に行い、かつ目詰まりの発生を抑制する残菜フィルタを備えているため、洗排兼用ポンプの吸込み能力を低下させず、高い洗浄能力を維持することができる。
【発明の効果】
【００１０】
本発明の食器洗い機は、洗排兼用ポンプを有する食器洗い機において、残菜の捕集を効果的に行い、高い洗浄性能を保つことができる。
【図面の簡単な説明】
【００１１】
【図１】本発明の実施の形態１の食器洗い機の側面図
【図２】同食器洗い機の断面図
【図３】同食器洗い機の洗浄槽の平面図
【図４】同食器洗い機の洗浄槽の断面図
【図５】同食器洗い機のフィルタ部の斜視図
【図６】同食器洗い機のフィルタ部の平面図
【図７】同食器洗い機のフィルタ部の断面図
【図８】同食器洗い機のフィルタ部の別の例の断面図
【図９】同食器洗い機のフィルタ部の別の例の断面図
【図１０】本発明の実施の形態２のフィルタ部の斜視図
【図１１】本発明の実施の形態２のフィルタ部の平面図
【図１２】従来の食器洗い機の貯水部近傍の断面図
【図１３】従来の食器洗い機の他の例の貯水部近傍の断面図
【発明を実施するための形態】
【００１２】
第１の発明は、被洗浄物が収容される洗浄槽を備える本体と、洗浄槽の底部に設けられる貯水部と、洗浄水を被洗浄物に噴射する洗浄手段と、洗浄手段と貯水部とを連結する循環経路と、循環経路内に設けられるとともに洗浄と排水を兼用する洗排兼用ポンプと、貯水部の上部に設けられ洗浄水中の残菜を捕集する残菜フィルタと、を備え、残菜フィルタは、略中央部に設けられる第１のフィルタ部と、第１のフィルタの外周縁外側に略鉛直上方に突出して設けられる境界部と、境界部の外周縁外側で第１のフィルタより高い位置に設けられ第１のフィルタより貫通穴の大きい第３のフィルタと、を備え、第２のフィルタは、第１のフィルタから第３のフィルタに洗浄水が流れるための貫通部を有する食器洗い機である。この構成により、洗排兼用ポンプを有する食器洗い機において、簡単な構成で残菜の捕集を有効的に行い、かつ目詰まりの発生を抑制する残菜フィルタを備えているため、洗排兼用ポンプの吸込み能力を低下させず、高い洗浄能力を維持することができる。
【００１３】
第２の発明は、特に、第１の発明の貫通部の断面積が、第１のフィルタ部の貫通穴より大きく、かつ、第２のフィルタ部の貫通穴より小さい食器洗い機である。この構成により第２のフィルタ部で捕集された残菜は、第１のフィルタ部に流れ込まず、第１のフィルタ
部の目詰まりを抑制でき、第１のフィルタ部が細かい残菜を捕集することができる。
【００１４】
第３の発明は、第１もしくは第２の発明において、前記境界部の貫通部は、凹部を有し、前記凹部の底面は隣接する前記第２のフィルタ部と高さが等しいことにより、小さい残菜が第１のフィルタ部に流れやすくなるため、第１のフィルタ部に捕集されやすくなり、残菜の食器への再付着を防ぐことができる。
【００１５】
第４の発明は、特に、第３の発明において、凹部の断面を略三角形形状にしたことにより、第２の発明に加えて、洗浄終了後のフィルタ部お手入れがしやすくなる。
【００１６】
第５の発明は、特に、第３の発明において、凹部の断面を略四角形形状にしたことにより、第２の発明に加えて、ご飯粒などの大きい残菜を境界部で捕集しやすくなり、洗浄性能を高めることができる。
【００１７】
以下、本発明の実施の形態について、図面を参照しながら説明する。なお、本実施の形態によって本発明が限定されるものではない。
【００１８】
（実施の形態１）
図１および図２に示すように、前方に開口部を有する食器洗浄機本体１（本体）において、その内側に上方に開口する洗浄槽２（可動側箱状体）が収納されている。また、洗浄槽２は、食器洗浄機本体１の両内側面に取り付けられた両固定レール３と、両固定レール３にそれぞれ滑動自在に装着された両可動レール４とから構成されるスライドレール５により前後方向に摺動可能に構成されており、食器洗浄機本体１の前方開口部から引き出すことができる。
【００１９】
スライドレール５は、図１に示すように、洗浄槽２の外壁の略下部に配置されるものである。
【００２０】
洗浄槽２は、樹脂成型によって形成され、水平方向の断面積が上方にいくに従い大きくなるテーパー状に形成されている。
【００２１】
また、スライドレール５には、洗浄槽２や洗浄槽２内に配置される食器６類などの被洗浄物、洗浄行程で供給される洗浄水等の荷重が加わるので、鉄やＳＵＳ等の金属部品で形成されるものである。ここで、洗浄水とは、被洗浄物の洗浄やすすぎに用いられる液体を総称して言う。
【００２２】
食器洗浄機本体１は、キッチンキャビネットＡ内にビルトインするのが基本的な設置形態であるが、食器洗浄機本体１を設置場所の台上に固定して使用することも可能である。
【００２３】
洗浄槽２は、内部に食器６を配置する食器カゴ７が収納される。また、洗浄槽２の内底部、具体的には洗浄槽２の下面内壁には、洗浄水を加熱する加熱手段８、例えばシーズヒータが設けられている。
【００２４】
洗浄槽２の内底部に給水された洗浄水を溜めるための貯水部９が設けられている。
【００２５】
貯水部９内の上部には、残菜フィルタ１０が設置されてある。残菜フィルタ１０は、食器６を洗浄する洗浄行程および食器６をすすぐすすぎ行程で、残菜を捕集する。ここで、残菜とは食器６に汚れとして付着していた食品などの固形物をいう。詳細は後述する。
【００２６】
貯水部９上方の食器カゴ７の一部は回動式になっており、洗浄工程終了後に食器カゴ７
全体を取り出すことなく残菜フィルタ１０を取り出し、残菜を取り除くことができる。残菜フィルタ１０取り出し時に食器カゴ７から取り出す食器数を少なくして、残菜フィルタ１０取り出しを容易にするために、貯水部９はコーナー部に設けられてある。
【００２７】
洗浄手段としての洗浄ノズル１１は、洗浄槽底面１２の略中央部に回転自在に設けられ、洗浄水の噴射の反力により回転する。
【００２８】
貯水部９と洗浄ノズル１１とは循環経路１３によって接続され、循環経路１３の途中には洗排兼用ポンプ１４が設けられている。なお、循環経路１３は、洗排兼用ポンプ１４に洗浄水を供給するゴムなどから構成される吸込み経路１５と洗排兼用ポンプ１４から洗浄ノズル１１に洗浄水を供給するゴムなどから構成される吐出経路１６から構成され、貯水部２３と吸込み経路１５とが吸込み口１７で接続されてある。
【００２９】
洗浄槽２の下面外壁に配置された洗排兼用ポンプ１４により洗浄水が加圧され、洗浄槽２内に設けられた洗浄ノズル１１に設けられる複数の噴射孔１８より噴射されるものである。
【００３０】
また、洗浄槽２内に、給水弁１９から洗浄槽２に給水され、排水手段２０により排水されるものである。
【００３１】
送風手段２１は、洗浄槽２の前面外壁に設けられており、乾燥行程で動作して、食器洗浄機本体１外の空気を洗浄槽２内に供給し、排気口２２より排気することで、洗浄槽２内の食器６を乾燥させる。送風手段２１は、例えば送風ファンがあげられる。
【００３２】
温度検知手段２３は、洗浄槽２の下面外壁に配置され、洗浄槽２内の洗浄水、空気および加熱手段８の温度を、洗浄槽２の下面を介して間接的に検知するものである。
【００３３】
制御装置２４は、給水弁１９が洗浄槽２内に洗浄水を供給するのを制御したり、温度検知手段２３の出力に基づいて加熱手段８を制御したりする。また、洗排兼用ポンプ１４、給水弁１９、排水手段２０、送風手段２１等を制御して、洗浄、すすぎ、乾燥の一連の行程を逐次制御するよう構成している。
【００３４】
中フタ２５は、図１および図２に示すように、周囲にパッキン２６が設けられていて、リンク機構（図示せず）を介し食器洗浄機本体１の上部に配置されている。中フタ２５は、洗浄槽２が食器洗浄機本体１の所定の位置に収納される動きと連動して前方下方に移動し、パッキン２６と洗浄槽２の上部２Ａ周囲とが接触して、洗浄槽２の上方の開口部を水密に塞ぐものである。そして、洗浄槽２と中フタ２５との接触部に洗浄水が供給されてもパッキン２６により洗浄水が洗浄槽２外へ出て行くのを防止することができる。
【００３５】
図３の洗浄槽底面１２の平面図、図４および図５の洗浄槽底面１２の断面図に示すように、洗浄槽底面１２は、洗浄槽底面のコーナー部に貯水部９が設けられており、最も高さが低くなるように形成されている。
【００３６】
また、洗浄槽底面１２には、第１、第２及び第３の傾斜部２７、２８、２９が形成されている。
【００３７】
第１の傾斜部２７は、加熱手段８を上面に備え、洗浄槽底面１２の手前右側に、洗浄槽２の奥行き方向を長手方向とする略矩形に形成されている。また、第１の傾斜部２７は貯水部９に向かって１度から２度の角度で傾斜している。
【００３８】
第２の傾斜部２８は、図３に示すように洗浄槽底面１２の左側に形成され、第１の傾斜部２７以上の高さに形成され、第１の傾斜部２７および貯水部９に隣接している。第２の傾斜部２８は、平面視して、洗浄ノズル１１が回転した場合の略回転軌跡Ｂに沿って略半円状に形成されている。また、第２の傾斜部２８は、貯水部９方向に第１の傾斜の傾斜角度より大きい角度で下方に傾斜している。
【００３９】
第３の傾斜部２９は、第２の傾斜部２８の周縁部の外側に、具体的には図３に示すように洗浄槽底面１２の奥左側のコーナー部に形成されている。第３の傾斜部２９は、第２の傾斜部２８に向かって下方に傾斜している。また、第３の傾斜部２９は、第２の傾斜部２８に向かって第２の傾斜部２８の傾斜角度より大きな角度で傾斜させてある。
【００４０】
また、洗浄槽底面１２には、食器カゴ７を設置する複数のカゴ設置部３０とから構成されてある。
【００４１】
第１の傾斜部２７の上面にはステンレスなど金属からなるヒータ板（図示せず）が設けられ、加熱手段８はヒータ板上部の洗浄槽２側面に取り付けられてある。加熱手段８の上面および側面は加熱手段８を囲むようにステンレスなどの金属部品からなりパンチングなどにより開口部が設けられたヒータカバー（図示せず）が備え付けてある。
【００４２】
吸込み口１７は洗浄槽２の背面の底部近傍に設けられている。
【００４３】
上記構成において動作を説明すると、利用者が食器洗浄機本体１から洗浄槽２を引き出し、食器カゴ７に食器６などの被洗浄物を配置し、洗浄槽２に収納する。そして、洗剤を入れた後、洗浄槽２を食器洗浄機本体１内に収納する。そして、運転を開始すると、排水手段２０が動作して、前回の運転等で洗浄槽２内に残っている洗浄水（「残水」という）を食器洗浄機本体１外へ排出する。
【００４４】
次に、制御装置２４が給水弁１９を動作させて、水位検知手段（図示せず）が水位を検知するまで、所定量の洗浄水を洗浄槽２に供給する。
【００４５】
所定量の洗浄水が供給されると、制御装置１９が洗排兼用ポンプ１４を駆動させて洗浄水を加圧し、洗剤を溶解させた洗浄水を洗浄ノズル１１に設けた噴射孔１８から噴射させる。こうして、食器６などを洗浄する洗浄行程が行われる。この洗浄行程では洗浄槽２内に設けた加熱手段８に通電して、洗浄水を洗浄所定温度（例えば６０℃）まで加熱し、油汚れなどの落ち難い汚れも洗浄しやすくする。
【００４６】
洗浄行程が所定時間行われると、排水手段２０が食器６から洗い落とされた汚れを含む洗浄水を食器洗浄機本体１外へ排出する。そして、給水弁１９の駆動により水道管から洗浄槽２内に新たに給水が行われ、洗浄ポンプ９を駆動させて、洗浄ノズル１１に設けた噴射孔１８から再び洗浄水を噴射し、洗剤や残菜等で汚れた食器６をすすぐ行程を実行する。
【００４７】
このすすぎ行程が終わると、洗浄水を再び食器洗浄機本体１外へ排出する。このすすぎ行程は連続して数回繰り返される。洗浄およびすすぎ行程では、残菜は洗浄槽２に設けた残菜フィルタ１０内に捕集される。
【００４８】
所定回数のすすぎ行程が終了すると乾燥行程が開始する。この行程では、送風手段２１が動作して食器洗浄機本体１外の空気が洗浄槽２内へ送り込まれる。送り込まれた空気は加熱手段８により加熱された後、食器６を乾燥させて、洗浄槽２の前面に形成される排気口２２より食器洗浄機本体１外へ排出される。乾燥行程終了後、運転を終了する。
【００４９】
なお、複数回行われるすすぎ行程のうち、少なくとも１回は洗浄水を加熱手段８により加熱しながら食器３をすすぐ加熱すすぎ行程であってもよい（このとき洗浄水は例えば約７０℃まで加熱されるものであってもよい）。
【００５０】
本実施例の残菜フィルタ１０を、図５の残菜フィルタ斜視図、図６に残菜フィルタ１０平面図、図７に残菜フィルタ１０断面図を用い以下に詳細に説明する。残菜フィルタ１０は、第１及び第２のフィルタ部３１、３３、境界部３２を有している。
【００５１】
第１のフィルタ部３１は、略中央部にステンレスのワイヤからなる２０〜５０メッシュの矩形のフィルタ部である。
【００５２】
境界部３２は、第１のフィルタ部３１の周縁外側に、第１のフィルタ部３１の部分を中抜きとした矩形に形成されており、略鉛直上方に設けられる樹脂の成型部品からなる。
【００５３】
第２のフィルタ部３３は、第１のフィルタ部３１より高い位置に境界部３２の周縁外側に設けられ、第１のフィルタ部３１の貫通穴径ｄ１より大きい１．５ｍｍ以上の貫通穴径ｄ３をもつステンレス製のプレス部品からなる。また、第１のフィルタ部３１及び境界部３２を中抜きとして矩形に形成されている。なお、図６では貫通穴ｄ３を一部にしか表記していないが、第２のフィルタ部３３全面に貫通穴を設けてある。
【００５４】
特に図７に示すように境界部３２は、凸形状の凸部３４と凹形状の凹部３５（貫通部）をもち、凹部３５は第２のフィルタ部３３の表面から第１のフィルタ部方向３１の表面に貫通するように形成されてある。凹部３５の底面は第３フィルタ部３３との隣接面以下の高さ、かつ、幅ｄ２が第２のフィルタ部の貫通穴径ｄ３より小さい。凸部３４は第２のフィルタ部３３との隣接面３６からの高さが１ｍｍ以上、幅ｄ４は凹部の幅ｄ２より大きい。
【００５５】
凸部３４および凹部３５は第１のフィルタ部３１の外縁部周辺に設けられており、第１及び第２のフィルタ部３１、３３と境界部３２は、境界部３２で第１のフィルタ部３１と第２のフィルタ部３３とを挟み込みながら連結するように振動溶着させることで、一体化して形成される。また、第２のフィルタ部３３の一部には樹脂製の成型部品からなる把持部３７が設けられており、把持部３７には鉛直方向に貫通穴が設けられてある。
【００５６】
以下に洗排兼用ポンプ１４駆動中の洗浄水の流れを示す。
【００５７】
洗排兼用ポンプ１４から圧送された洗浄水は、吐出経路２６を通り洗浄ノズル１１の噴射孔１８から噴射される。洗浄ノズルは噴射応力によって回転しながら洗浄水を噴射する。噴射孔１８から噴射された洗浄水は、食器６や食器カゴ７、洗浄槽２に衝突し、食器６に付着した汚染物を除去し、洗浄槽底面１２に落下する。落下した洗浄水および残菜１０ａは第１、第２及び第３の傾斜部２３、２４、２５の傾斜に沿って貯水部９方向に流れこみ、残菜フィルタ１０、排水フィルタ２８を通り、貯水部９内の吸込み口２７から吸込まれ、吸込み経路２５を通り、洗排兼用ポンプ１４で圧送される。
【００５８】
この際、貯水部９に流れ込んだ残菜のうち米粒など第２のフィルタ部３３の貫通穴径ｄ３より大きいものは、第２のフィルタ部３３に捕集され、一部水流によって境界部３２に流されるが、境界部３２の凹部３５の幅ｄ２が第２のフィルタ部３３より狭いため、境界部３２で捕集されるため、第１のフィルタ部３１には流れ込まない。また、スパイスや肉の繊維などの小さい残菜は、一部が第２のフィルタ部３３を通るが、一部は境界部３２の凹部３５を通過し、第１のフィルタ部３１に捕集される。この際、米粒などの大きい残菜
が第１のフィルタ部３１に流れ込まないため、第１のフィルタ部３１が重点的に細かい残菜を捕集することができるとともに第１のフィルタ部３１が大きい残菜により目詰まりすることを防止することができる。
【００５９】
つまり、境界部３２を設けたために、大きい残菜は、主に第２のフィルタ部３３で捕集されて第１のフィルタ部３１に流れ込まないようにすることができ、さらに細かい残菜は主に第１のフィルタ部３１により捕集されるようになる。つまり、大きい残菜による第１のフィルタ部３１の目詰まりすることを防止でき、第１のフィルタ部３１は細かい残菜を捕集するという本来の役割を発揮することができる。
【００６０】
このため、洗排兼用ポンプ１４の性能低下を防ぐとともに、被洗浄物６に残菜が再付着することを抑制でき、この再付着の原因となる細かい残菜を第１のフィルタ部３１で捕集するため洗浄性能を向上させることができる。
【００６１】
なお、本実施例では凹部３５および凸部３４の形状を直方体形状で現してあるが、図８もしくは図９の境界部３２の断面図に示すように半円柱形状や、三角柱形状でも凹部３５が図に示すように第２のフィルタ部の貫通穴径ｄ３より小さい場合は同じ効果が奏することができる。
【００６２】
（実施の形態２）
図１０は本発明の実施の形態２のフィルタ部の斜視図である。本実施の形態において、実施の形態１と同様の部分については同一符号を附し、その詳細な説明は省略する。
【００６３】
残菜フィルタ１０は、第１及び第２のフィルタ部３１、３３と境界部３３とを有する。
【００６４】
第１のフィルタ部３１は、残菜フィルタ１０の略中央部にステンレスのワイヤからなる２０〜５０メッシュのフィルタ部である。
【００６５】
また、境界部３２は、第１のフィルタ部３１の周縁から上方に略鉛直に設けられる樹脂の成型部品からなる。
【００６６】
さらに、第２のフィルタ部３３は、第１のフィルタ部３１より上方になるように設けられ第１のフィルタ部３１の貫通穴径ｄ１より大きい１．５ｍｍ以上の貫通穴径ｄ３をもつステンレス製のプレス部品からなる。
【００６７】
特に図１１の境界部３２の平面図に示すように境界部３２の詳細な形状は、残菜フィルタ１０の上面に複数の凸部３４を設けてあり、凸部３４は、第１のフィルタ部３１中央部に向かって角度Θ（約４５度）で傾かせてさせた格子状に配置させてある。
【００６８】
以下に洗排兼用ポンプ１４駆動中の洗浄水の流れを示す。洗排兼用ポンプ１４から圧送された洗浄水は、吐出経路２６を通り洗浄ノズル１１の噴射孔１８から噴射される。洗浄ノズル１１は噴射応力によって回転しながら洗浄水を噴射する。噴射孔１８から噴射された洗浄水は、食器６や食器カゴ７、洗浄槽２に衝突し、食器６に付着した汚染物を除去し、洗浄槽底面１２に落下する。落下した洗浄水および残菜１０ａは傾斜部の傾斜に沿って貯水部９方向に流れこみ、残菜フィルタ１０、排水フィルタ２８を通り、貯水部９内の吸込み口２７から吸込まれ、吸込み経路２５を通り、洗排兼用ポンプ１４で圧送される。
【００６９】
この際、貯水部９に流れ込んだ残菜のうち米粒など第２のフィルタ部３３の貫通穴径ｄ３より大きいものは第２のフィルタ部３３に捕集され、水流によって境界部３２に流されるが、境界部３２の低部３６はジグザグ状に配置されるため、第１のフィルタ部３１には
流れ込まない。また、スパイスや肉の繊維などの小さい残菜は、一部が第２のフィルタ部３３を通るが、一部は境界部３２の低部３５を通過し、第１のフィルタ部３１に捕集される。米粒などの大きい残菜が第１のフィルタ部３１に流れ込まないため、第１のフィルタ部３１が有効的に細かい残菜を捕集するとともに第１のフィルタ部３１の目詰まりを防止することができる。このため、洗排兼用ポンプ１４の性能低下を防ぐとともに再付着の原因となる細かい残菜をフィルタ部で捕集するため洗浄性能を向上させることができる。
【００７０】
なお、本実施例では凸部３４の形状を三角錐形状で現してあるが、半球状でも同じ効果が期待できる。
【産業上の利用可能性】
【００７１】
本発明の食器設置具は、少ない水量で所定の洗浄性能を得ることができるので、食器洗い機として有用である。
【符号の説明】
【００７２】
１  食器洗浄機本体（本体）
２  洗浄槽
６  食器（被洗浄物）
９  貯水部
１０  残菜フィルタ
１１  洗浄ノズル（洗浄手段）
１２  洗浄槽の底部
１３  循環経路
１４  洗排兼用ポンプ
３１  第１のフィルタ部
３２  境界部
３３  第２のフィルタ部
３４  凸部
３５  凹部（貫通部）
【図１】
2011078521.tif 000003
【図２】
2011078521.tif 000004
【図３】
2011078521.tif 000005
【図４】
2011078521.tif 000006
【図５】
2011078521.tif 000007
【図６】
2011078521.tif 000008
【図１２】
2011078521.tif 000009
【図１３】
2011078521.tif 000010
【図７】
2011078521.tif 000011
【図８】
2011078521.tif 000012
【図９】
2011078521.tif 000013
【図１０】
2011078521.tif 000014
【図１１】
2011078521.tif 000015